【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
２つ以上の通信パスを含む資源共有グループを規定するステップであって、前記通信パスが、通信ネットワーク内の少なくとも２つの異なるルートを通り抜けるものであり、前記ルートが、少なくとも１つの共通ネットワーク要素を通過しているものである、ステップと、
前記資源共有グループを有する前記２つ以上の通信パスが属するネットワークの上に通知を配布するステップと、
前記通知に対応して、資源共有グループの通信パス間で資源の割当てを共有するように、少なくとも１つの共通ネットワーク要素と関連した資源を割り当てるステップと、を含む、通信方法。
【請求項２】
前記資源共有グループが、前記ネットワークを通る２つ以上のトンネルを含む、請求項１に記載の通信方法。
【請求項３】
前記通知を配布することは、前記トンネルに関する、資源予約プロトコル・トラフィック・エンジニアリング（ＲＳＶＰ−ＴＥ）メッセージおよび制約ベース・ラベル配布プロトコル（ＣＲ−ＬＤＰ）メッセージの少なくとも１つを送信することを含む、請求項２に記載の通信方法。
【請求項４】
前記資源共有グループを規定することは、資源共有グループに関連した共有グループ・インデックスの値（ＳＧＩ値）を規定することを含み、
前記通知を配布することは、前記資源共有グループに属する通信パスを設定するようにＳＧＩ値を含む予約メッセージを送信することを含み、
前記資源を割り当てることは、前記共通ネットワーク要素において前記予約メッセージを受信することと、前記受信した予約メッセージ内のＳＧＩ値に対応する資源の割当てを共有することとを含む、請求項１に記載の通信方法。
【請求項５】
前記資源共有グループに属するパスのうちの１つは、第１のルートを通り抜ける代替通信パスを含み、
前記代替通信パスは、第１のルートとは異なる第２のルートを通り抜けている資源共有グループに属する一次通信パスを、前記第２のルートに沿ったネットワーク要素とネットワーク・セグメントの少なくとも１つにおける障害に対して保護するために設定される、請求項１ないし４のいずれか１項に記載の通信方法。
【請求項６】
前記資源は、前記少なくとも一つの共通ネットワーク要素に接続し、前記ルートが通過する共通ネットワーク・セグメント上のバンド幅を含む、請求項１ないし４のいずれか１項に記載の通信方法。
【請求項７】
前記共通ネットワーク・セグメントは、リング・トポロジに属する共通リング・セグメントを含み、
前記資源を割り当てることは、リング・レベル・コール・アドミッション制御（ＣＡＣ）機能を適用することにより、共通リング・セグメントを割り当てることを含む、請求項６に記載の通信方法。
【請求項８】
前記資源を割り当てることは、バンド幅、メモリー空間、ポート、スイッチング・ハードウェア・コンポーネント、の少なくとも１つを割り当てることを含む、請求項１ないし４のいずれか１項に記載の通信方法。
【請求項９】
通信ネットワークの他の要素と通信するためのネットワークインターフェースと、
ネットワークを通る少なくとも２つの異なるルートを通り抜ける２つ以上の通信パスの資源共有グループが所属する通信ネットワーク上に配布される通知を、前記ネットワークインターフェースを介して受け取るために準備されるプロセッサと、
を備えるネットワーク要素であって、
前記プロセッサが、前記ネットワーク要素を資源共有グループの通信パスの少なくともいくつかが通り抜けているときに、前記通知に対応して、少なくともいくつかの前記通信パス間で資源の割当てを共有するようにネットワーク要素に関連した資源を割り当てるために準備されるコール・アドミッション制御（ＣＡＣ）モジュールを含んでいる、ネットワーク要素。
【請求項１０】
前記２つ以上の通信パスが、前記通信ネットワークを通るトンネルを含む、請求項９に記載のネットワーク要素。
【請求項１１】
前記通知が、前記トンネルに関する、制約ベース・ラベル配布プロトコル（ＣＲ−ＬＤＰ）メッセージと、資源予約プロトコル・トラフィック・エンジニアリング（ＲＳＶＰ−ＴＥ）メッセージとの少なくとも１つを含む、請求項１０に記載のネットワーク要素。
【請求項１２】
前記プロセッサが、前記資源共有グループに関連した共有グループ・インデックス（ＳＧＩ）の値を含む予約メッセージを受信するために準備され、
前記ＣＡＣモジュールが、前記受信した予約メッセージ内のＳＧＩ値に対応して、前記資源の割当てを共有するために準備される、請求項９に記載のネットワーク要素。
【請求項１３】
前記資源共有グループが、第１のルートを通り抜けている代替通信パスを含み、前記代替通信パスは、第１のルートとは異なる第２のルートを通り抜けている一次通信パスを、第２のルートに沿ったネットワーク要素およびネットワーク・セグメントの少なくとも１つにおける障害に対して保護するように働いている、請求項９ないし１２のいずれか１項に記載のネットワーク要素。
【請求項１４】
前記資源が、前記ネットワーク要素に接続し、前記ルートが通過する共通ネットワーク・セグメント上のバンド幅を含む、請求項９ないし１２のいずれか１項に記載のネットワーク要素。
【請求項１５】
前記共通ネットワーク・セグメントが、リング・トポロジに属する共通リング・セグメントを含み、
共通リング・セグメントの資源の割当てを共有するように準備されるリング・レベル・コール・アドミッション制御（ＣＡＣ）モジュールを含む請求項１４に記載のネットワーク要素。
【請求項１６】
前記ＣＡＣモジュールが、バンド幅、メモリー空間、ポート、スイッチング・ハードウェア・コンポーネント、の少なくとも１つを割り当てるように準備される、請求項９ないし１２のいずれか１項に記載のネットワーク要素。
【請求項１７】
ネットワーク要素に使用されるコンピュータ・プログラムであって、
前記コンピュータ・プログラムはプログラム命令を含み、
前記命令は、コンピュータに読み込まれたときに、前記コンピュータに、
前記ネットワークを通る少なくとも２つの異なるルートを通り抜ける２つ以上の通信パスの資源共有グループの所属する通信ネットワーク上に配布される通知を受け取ることと、
前記ネットワーク要素を、前記資源共有グループの少なくともいくつかの通信パスが通過しているときに、前記通知に対応して、少なくともいくつかの前記通信パス間で資源の割当てを共有するように、前記ネットワーク要素に関連した資源を割り当てること
をさせる、コンピュータ・プログラム。
【請求項１８】
前記２つ以上の通信パスが、前記通信ネットワークを通るトンネルを含む、請求項１７に記載のコンピュータ・プログラム。
【請求項１９】
前記通知が、前記トンネルに関する、制約ベース・ラベル配布プロトコル（ＣＲ−ＬＤＰ）メッセージと、資源予約プロトコル・トラフィック・エンジニアリング（ＲＳＶＰ−ＴＥ）メッセージとの少なくとも１つを含む、請求項１８に記載のコンピュータ・プログラム。
【請求項２０】
前記命令が、前記コンピュータに、前記資源共有グループに関連した共有グループ・インデックス（ＳＧＩ）の値を含む予約メッセージを受信することと、前記受信した予約メッセージ中のＳＧＩ値に対応した資源の割当てを共有することと、をさせる、請求項１７に記載のコンピュータ・プログラム。
【請求項２１】
前記資源共有グループが、第１のルートを通り抜けている代替通信パスを含み、
前記代替通信パスは、第１のルートとは異なる第２のルートを通り抜けている一次通信パスを、第２のルートに沿ったネットワーク要素およびネットワーク・セグメントの少なくとも１つにおける障害に対して保護するように働いている、請求項１７ないし２０のいずれか１項に記載のコンピュータ・プログラム。
【請求項２２】
前記資源は、前記少なくとも一つの共通ネットワーク要素に接続し前記ルートが通り抜ける共通ネットワーク・セグメント上のバンド幅を含む、請求項１７ないし２０のいずれか１項に記載のコンピュータ・プログラム。
【請求項２３】
前記共通ネットワーク・セグメントは、リング・トポロジに属する共通リング・セグメントを含み、
前記命令が、前記共通リング・セグメントの資源の割当てを共有するように、前記コンピュータに、リング・レベル・コール・アドミッション制御（ＣＡＣ）機能を適用させる、請求項２２に記載のコンピュータ・プログラム。
【請求項２４】
前記命令が、前記コンピュータに、バンド幅、メモリー空間、ポート、スイッチング・ハードウェア・コンポーネントのうちの少なくとも１つを割り当てさせる、請求項１７ないし２０のいずれか１項に記載のコンピュータ・プログラム。
【請求項２５】
前記ネットワークを通る少なくとも２つの異なるルートを通り抜ける２つ以上の通信パスの資源共有グループが所属する通信ネットワーク上に配布される通知を受け取るために準備される複数の相互接続したネットワーク要素を備える通信ネットワークであって、
前記複数の相互に連結したネットワーク要素の各々が、前記ネットワーク要素を資源共有グループの少なくともいくつかの通信パスが通り抜けているときに、前記ネットワーク要素が、前記通知に対応して、少なくともいくつかの前記通信パス間で資源の割当てを共有するように、ネットワーク要素に関連した資源を割り当てるよう準備される、通信ネットワーク。